(57)【要約】      （修正有）【課題】在庫のリスクなく多種類の景品を流通させる景品流通システムを提供する。【解決手段】景品の情報を顧客の携帯端末の画像取得手段又は近距離無線通信手段により読み取り可能な状態で保持する告知手段と、表示された景品から特定の景品を選択する景品選択手段と、携帯端末に対して選択した景品を受け取る店舗情報を取得する店舗選択手段と、顧客に、固有のアドレスや個体識別番号を記憶することなく、自動付与した引換券情報を前記携帯端末に送信する識別情報付与手段と、を備える。【選択図】図２
0003174540.tif 000002
【実用新案登録請求の範囲】
【請求項１】
特定の景品に関連付けた景品情報を顧客の携帯端末の画像取得手段又は近距離無線通信手段により読み取り可能な状態で保持する告知手段と、
前記携帯端末に対して前記特定の景品を受け取る店舗情報であって、予め特定の景品については選択できる店舗を限定して記憶しておき、顧客が当該特定の景品を選択した場合には、この景品に紐づいた店舗のみを候補とした前記店舗情報を複数送信すると共に、選択された店舗情報を取得する店舗選択手段と、
顧客に、固有のアドレスや個体識別番号を記憶することなく、自動付与した引換券情報を前記携帯端末に送信する識別情報付与手段と、
を備え、
更に、前記引換券情報には、受取パスワードを入力することで受取確認情報を送信する受取ボタンが含まれていることを特徴とする景品流通システム。
【請求項２】
景品を表示するウェブサイトのＵＲＬの情報を顧客の携帯端末の画像取得手段又は近距離無線通信手段により読み取り可能な状態で保持する告知手段と、
表示された景品から特定の景品を選択する景品選択手段と、
前記携帯端末に対して前記選択した景品を受け取る店舗情報であって、予め特定の景品については選択できる店舗を限定して記憶しておき、顧客が当該特定の景品を選択した場合には、この景品に紐づいた店舗のみを候補とした前記店舗情報を複数送信すると共に、選択された店舗情報を取得する店舗選択手段と、
顧客に、固有のアドレスや個体識別番号を記憶することなく、自動付与した引換券情報を前記携帯端末に送信する識別情報付与手段と、
を備え、
更に、前記引換券情報には、受取パスワードを入力することで受取確認情報を送信する受取ボタンが含まれていることを特徴とする景品流通システム。
【請求項３】
携帯電話で所定の宛先を有する空メールを生成させる情報を顧客の携帯端末の画像取得手段又は近距離無線通信手段により読み取り可能な状態で保持する告知手段と、
受信した空メールに対して景品を表示するウェブサイトのＵＲＬの情報を含めて返信するメール送受信手段と、
表示された景品から特定の景品を選択する景品選択手段と、
前記携帯端末に対して前記選択した景品を受け取る店舗情報であって、予め特定の景品については選択できる店舗を限定して記憶しておき、顧客が当該特定の景品を選択した場合には、この景品に紐づいた店舗のみを候補とした前記店舗情報を複数送信すると共に、選択された店舗情報を取得する店舗選択手段と、
顧客に、固有のアドレスや個体識別番号を記憶することなく、自動付与した引換券情報を前記携帯端末に送信する識別情報付与手段と、
を備え、
更に、前記引換券情報には、受取パスワードを入力することで受取確認情報を送信する受取ボタンが含まれていることを特徴とする景品流通システム。
【請求項４】
顧客の携帯電話の既知のメールアドレスに対して景品を表示するウェブサイトのＵＲＬの情報を含めて送信するメール送信手段と、
表示された景品から特定の景品を選択する景品選択手段と、
前記携帯端末に対して前記選択した景品を受け取る店舗情報であって、予め特定の景品については選択できる店舗を限定して記憶しておき、顧客が当該特定の景品を選択した場合には、この景品に紐づいた店舗のみを候補とした前記店舗情報を複数送信すると共に、選択された店舗情報を取得する店舗選択手段と、
顧客に、固有のアドレスや個体識別番号を記憶することなく、自動付与した引換券情報を前記携帯端末に送信する識別情報付与手段と、
を備え、
更に、前記引換券情報には、受取パスワードを入力することで受取確認情報を送信する受取ボタンが含まれていることを特徴とする景品流通システム。
【請求項５】
更に、前記選択した店舗に景品を配送するように指示を出す配送指示手段を有することを特徴とする請求項１〜４のいずれかひとつに記載の景品流通システム。
【請求項６】
更に、顧客の携帯端末の一意的に特定された固有の情報を当該携帯端末からのアクセスの際に取得する固有情報取得手段を有することを特徴とする請求項１〜５のいずれかひとつに記載の景品流通システム。
【請求項７】
顧客の携帯電話で読み取り可能であり且つ景品の受取用ウェブサイトのＵＲＬの情報を含む受取用告知手段を有することを特徴とする請求項１〜６のいずれかひとつに記載の景品流通システム。
【請求項８】
更に、景品がもらえるか否かの抽選手段を備えたことを特徴とする請求項１〜７のいずれかひとつに記載の景品流通システム。
【考案の詳細な説明】
【技術分野】
【０００１】
本考案は、多種類の景品を効率よく各店舗に流通させる景品流通システムに関するものである。
【背景技術】
【０００２】
従来から自動車販売店、小売店、不動産仲介業の店舗などにおいて顧客に景品を配布して集客を行うことが行われている。景品の種類が多いほど顧客の選択肢が増えるので顧客の満足度は向上する。また、景品が当選するキャンペーンによる商品の販売促進も行われている。例えば下記特許文献１では、インターネットを用いて景品の抽選を行い、この景品が指定された送付先に届くというキャンペーンにより商品販売を促進するシステムが開示されている。
【先行技術文献】
【特許文献】
【０００３】
【特許文献１】特開２００５−３３９３１６号公報
【考案の概要】
【考案が解決しようとする課題】
【０００４】
しかしながら、従来の景品配布の方法では、顧客はその場で景品を受け取って満足してしまうので、景品をもって顧客の再来店を促すことが困難であるという問題点があった。また、多種類の景品から希望のものを選択できることは顧客にとって魅力的であるが、店舗側には在庫のリスクが生じてしまうという問題点があった。
【課題を解決するための手段】
【０００５】
そこで、本考案の景品流通システムは、特定の景品に関連付けた景品情報を顧客の携帯端末の画像取得手段又は近距離無線通信手段により読み取り可能な状態で保持する告知手段と、前記携帯端末に対して前記特定の景品を受け取る店舗情報を複数送信すると共に、選択された店舗情報を取得する店舗選択手段とを備えたことを特徴とする。
【０００６】
また、本考案の景品流通システムは、景品を表示するウェブサイトのＵＲＬの情報を顧客の携帯端末の画像取得手段又は近距離無線通信手段により読み取り可能な状態で保持する告知手段と、表示された景品から特定の景品を選択する景品選択手段と、
前記携帯端末に対して前記選択した景品を受け取る店舗情報を複数送信すると共に、選択された店舗情報を取得する店舗選択手段とを備えたことを特徴とする。
【０００７】
また、本考案の景品流通システムは、携帯電話で所定の宛先を有する空メールを生成させる情報を顧客の携帯端末の画像取得手段又は近距離無線通信手段により読み取り可能な状態で保持する告知手段と、受信した空メールに対して景品を表示するウェブサイトのＵＲＬの情報を含めて返信するメール送受信手段と、表示された景品から特定の景品を選択する景品選択手段と、前記携帯端末に対して前記選択した景品を受け取る店舗情報を複数送信すると共に、選択された店舗情報を取得する店舗選択手段とを備えたことを特徴とする。
【０００８】
また、本考案の景品流通システムは、顧客の携帯電話の既知のメールアドレスに対して景品を表示するウェブサイトのＵＲＬの情報を含めて送信するメール送信手段と、表示された景品から特定の景品を選択する景品選択手段と、前記携帯端末に対して前記選択した景品を受け取る店舗情報を複数送信すると共に、選択された店舗情報を取得する店舗選択手段とを備えたことを特徴とする。
【０００９】
また、本考案の景品流通システムは、上記考案において、更に、前記選択した店舗に景品を配送するように指示を出す配送指示手段を有することを特徴とする。
【００１０】
また、本考案の景品流通システムは、上記考案において、更に、顧客に引換券その他の識別情報を前記携帯端末に送信する識別情報付与手段を有することを特徴とする。
【００１１】
また、本考案の景品流通システムは、上記考案において、更に、顧客の携帯端末の一意的に特定された固有の情報を当該携帯端末からのアクセスの際に取得する固有情報取得手段を有することを特徴とする。
【００１２】
また、本考案の景品流通システムは、上記考案において、顧客の携帯電話で読み取り可能であり且つ景品の受取用ウェブサイトのＵＲＬの情報を含む受取用告知手段を有することを特徴とする。
【００１３】
また、本考案の景品流通システムは、上記考案において、更に、景品がもらえるか否かの抽選手段を備えたことを特徴とする。
【図面の簡単な説明】
【００１４】
【図１】この考案の実施の形態１にかかる景品流通システムを示す全体説明図である。
【図２】図１に示した景品流通システムを示す構成図である。
【図３】図１に示した景品流通システムの基本動作を示すフロー図である。
【図４】景品流通システムの携帯端末の画面例を示す説明図である。
【図５】景品流通システムの携帯端末の画面例を示す説明図である。
【図６】景品流通システムの携帯端末の画面例を示す説明図である。
【図７】景品流通システムの携帯端末の画面例を示す説明図である。
【図８】景品流通システムの携帯端末の画面例を示す説明図である。
【図９】実施の形態２に係る景品流通システムを示す構成図である。
【図１０】図９に示した景品流通システムの動作を示すフロー図である。
【図１１】景品流通システムの携帯端末の画面例を示す説明図である。
【図１２】景品流通システムの携帯端末の画面例を示す説明図である。
【図１３】景品流通システムの携帯端末の画面例を示す説明図である。
【図１４】この考案の実施の形態３に係る景品流通システムを示す構成図である。
【図１５】図１４に示した景品流通システムの基本動作を示すフロー図である。
【図１６】ＩＣタグを告知媒体に設けた例を示す説明図である。
【図１７】景品流通システムの携帯端末の画面例を示す説明図である。
【図１８】景品流通システムの携帯端末の画面例を示す説明図である。
【図１９】景品流通システムの携帯端末の画面例を示す説明図である。
【図２０】この考案の実施の形態４に係る景品流通システムを示す構成図である。
【図２１】図２０に示した景品流通システムの基本動作を示すフロー図である。
【図２２】実施の形態４の変形例を示すフロー図である。
【図２３】この考案の実施の形態５に係る景品流通システムを示す構成図である。
【図２４】図２３に示した景品流通システムの基本動作を示すフロー図である。
【図２５】景品の抽選を実施する場合の一例を示す説明図である。
【図２６】景品流通システムの携帯端末の画面例及び引換券の印刷例を示す説明図である。
【考案を実施するための形態】
【００１５】
（実施の形態１）
図１は、この考案の実施の形態１にかかる景品流通システムを示す全体説明図である。図２は、図１に示した景品流通システムを示す構成図である。図３は、図１に示した景品流通システムの基本動作を示すフロー図である。この景品流通システム１００は、景品の配送センターに対して特定の店舗に景品の配布を指示する景品流通サーバ１と、このサーバ１にアクセス可能な携帯端末２とから構成される。「携帯端末２」は、具体的には顧客の携帯電話、ＰＤＡ（Personal Digital Assistants）、パーソナルコンピュータ等のインターネットに接続可能であり且つ画像取得手段であるカメラまたは近距離無線通信手段を備えたものである。携帯端末２は顧客の所有物でも店舗の所有物でもいずれでも良い。なお、前記「顧客」とは、前記店舗に来る一般的な客をいう。前記店舗の種類は限定されない。例えば、自動車販売店、小売店、不動産屋の店舗、飲食店、遊戯施設、イベント会場が含まれる。営利非営利を問わない。また、大型遊園地のように複数の店舗が同一敷地内にあり、特定の入場者に対してサービスを提供する場合も、本考案の「店舗」に含まれる。「携帯端末」及び「店舗」について以下同様である。
【００１６】
各店舗には、複数の景品の告知内容を記載したパンフレットその他の告知媒体３が配置されている。景品の告知内容は、当該景品の写真、その説明及び当該景品に一意的に関連付けられた二次元コード（ＱＲコード：株式会社デンソーウェーブ登録商標）である。告知媒体３としては、店舗内に掲示するポスター、看板（デジタルサイネージを含む）、コンピュータ画面等が挙げられる（以下同様）。配送センターの配送サーバ４は、景品流通サーバ１からの配送指示に従って指定された景品を指定された店舗に対して配送するように指示を行う機能を備える。
【００１７】
前記景品流通サーバ１は、顧客に景品の選択を行わせる景品選択部１１と、顧客が来店を希望する店舗を選択する店舗選択部１２と、景品及び店舗を選択した顧客に対して引換券を送信する引換券発行部１３と、顧客が選択した景品を顧客が選択した店舗に配送する指示を行う配送指示部１４と、顧客が選択した店舗において景品を受け取ったことを確認する受取確認部１５とを有する。これら各部１１〜１５は景品流通サーバ１のサーバコンピュータとプログラムとから構成される。また、携帯端末２には、カメラと、表示部と、ＱＲコード読取部２１とが備えられている。景品流通サーバ１と携帯端末２との間は、インターネット等のネットワークにより接続されている。なお、景品流通サーバ１は、所有者の施設においてハードウェアとソフトウェアの組み合わせ形態として設置されるとは限られず、インターネット空間で構築されるリソース形態を取るものであっても良い（以下同様）。
【００１８】  図４乃至図８は、景品流通システムの携帯端末の画面例を示す説明図である。図４では、告知媒体３の例として、店舗におけるチラシとコンピュータの画面を挙げた。当該チラシには、顧客自身により景品が選べ、且つ、全ての顧客にプレゼントされる旨の記載（公序良俗違反につき、不掲載）がなされており、その下に、複数の景品の写真と共に各景品に対応するＱＲコード３１が表示されている。
【００１９】
同じく、コンピュータの画面に表示されたウェブサイト上にも、前記チラシと同様の形態で、複数の景品と当該景品に対応したＱＲコード３１が表示されている。図５に示すように、各景品３２に対応するＱＲコード３１は、当該景品３２ごとに割り振られたＵＲＬ（Uniform Resource Locator）３３をコード化したものである。顧客は、携帯端末２のカメラにより特定の景品３２のＱＲコード３１を撮影することで、当該景品３２固有のＵＲＬ３３を取得し（ステップ１）、携帯端末２から当該景品３２のウェブサイトにアクセスする（ステップ２）。景品選択部１１は、選択された景品の景品情報を記憶する。また、配送依頼部１５は、配送サーバ４に選択された景品の在庫の確認の要求をする（ステップ３）。景品の在庫がない場合、配送サーバ４はその旨の回答を配送依頼部１５に戻す。
【００２０】
店舗選択部１２は、顧客の携帯端末２からの送信要求に応じて顧客の携帯端末２に選択可能な複数の店舗情報等を送信する（ステップ４）。顧客の携帯端末２では受信した店舗情報等を所定のブラウザにより表示部に表示する。この選択画面５０には、図６に示すように、顧客が希望する店舗を指定するプルダウンメニュー５１が表示される。なお、入力必須でないが希望受取日、受取時間、住まいの地区、年代、性別のプルダウンメニュー５２が表示される。顧客は、前記プルダウンメニュー５１から景品を受け取りたい店舗を選択し、ＯＫボタンを押す（ステップ５）。
【００２１】
これにより、携帯端末２から景品流通サーバ１に受取店舗の情報が送信される。景品流通サーバ１は、当該受取店舗の情報および前記景品情報を記憶すると共に前記配送センターの配送サーバ４に当該情報を送信する（ステップ６）。配送サーバ４は、発送日時と選択された店舗への到達予定日時を生成し、この配送予定情報を景品流通サーバ１に送信する（ステップ７）。配送センターでは、前記生成した配送情報に基づいて選択された景品を選択された店舗に配送する。
【００２２】
引換券発行部１３は、顧客の携帯端末２に対して引換券を発行し、この引換券を顧客の携帯端末に送信する（ステップ８）。引換券には引換券番号が自動付与される。顧客の携帯端末２の固有のアドレスや個体識別番号は景品流通サーバ１で記憶されない。引換券発行部１３は、前記配送サーバ４からの配送予定日等を考慮して、選択された店舗に景品が配送される時期を計算し、景品引き換え期間を自動設定する。受取確認部１４は、受取確認を行うため当該引換券情報を記憶する。
【００２３】
図７に、引換券の具体例を示す。この引換券５３には、景品の写真及び前記品番と共に、前記顧客が選択した店舗、引換期間、引換券番号が表示される。これらの下方には、「受取りました」と表示された受取ボタン５４が表示される。受取ボタン５４は、顧客が当該店舗または別店舗に来店したときに、受取確認のため顧客本人または店舗従業員が押すものである。
【００２４】
なお、顧客が誤ってこの受取ボタン５４を押す場合があるが、受取ボタン５４を押した後に受取パスワードを入力しなければ最終的に受取情報を送信できないようにすることで誤った操作を防止できるようにしても良い。この受取パスワードは店舗従業員のみが知っているもので比較的簡単で各店舗で統一したものとするのが好ましい。例えば、Ａ店舗では「１１１」、Ｂ店舗では「２２２」とする。引換券５３は、顧客が携帯端末２に記憶させておく必要があるため、保存ボタンを画面上に設けても良い（図示省略）。
【００２５】
次に、顧客が引換期間中に上記選択した店舗に来店した場合、携帯端末２に記憶されている引換券５３を読み出して店舗従業員に示す。店舗従業員は、引換券５３に表示された景品の写真と品番を見て、当該店舗に配送された景品を取り出す。顧客に引渡す際、写真に表示された景品と実際の景品とが同一か確認すると共に、品番を対照して再確認を行う。そして、店舗従業員により最終確認ができた場合、顧客の携帯端末２の表示部に表示された受取ボタン５４を店舗従業員または顧客本人が押す。受取ボタン５４を押すことで、顧客の携帯端末２から景品流通サーバ１に受取確認情報（引換券情報）が送信される（ステップ９）。
【００２６】
受取確認部１４は、送信されてきた引換券情報と記憶している引換券情報とを比較する。具体的には、引換券番号を比較し、一致すれば当該引換券情報にかかる景品が受け取られたものと判断し、当該結果を記憶する。不一致の場合には、エラー情報を戻す。
【００２７】
以上、この景品流通システム１００によれば、各店舗が在庫を抱えることなく多種類の景品を顧客に引き渡すことができる。このため、コストの無駄がない。また、顧客は多種類の景品から自分の好きなものを選ぶことができるので、店舗側として顧客の再来店の可能性を高めることができる。更に、顧客は、引換券５４が顧客の仮ＩＤとなるため、個人情報や顧客の携帯端末２を特定し得る情報を提供することなく景品を受け取ることができる。
【００２８】
（実施の形態２）
図９は、実施の形態２に係る景品流通システムを示す構成図である。図１０は、図９に示した景品流通システムの動作を示すフロー図である。図１１乃至図１３は、景品流通システムの携帯端末の画面例を示す説明図である。上記実施の形態１では顧客の固有の情報を取得することなく、引換券５３を用いて景品の引渡しを行うようにしているが、携帯端末２として携帯電話を用いる場合、その携帯電話が有する当該携帯電話を一意的に特定できる個体識別番号を用いて景品の引渡しを行うようにしても良い。
【００２９】
前記景品流通サーバ１は、顧客に景品の選択を行わせる景品選択部１１と、顧客が来店を希望する店舗を選択する店舗選択部１２と、顧客の携帯電話２の個体識別番号を取得する個体識別番号取得部１６と、顧客の携帯電話２に確認画面を送信する確認画面送信部１７と、顧客が選択した店舗において景品を受け取ったことを確認する受取確認部１４と、顧客が選択した景品を顧客が選択した店舗に配送する指示を行う配送指示部１５とを有する。
【００３０】
個体識別番号を取得する場合、告知手段３のＱＲコード３１からＵＲＬを取得して景品ウェブサイトにアクセスするとき、個体識別番号を景品流通サーバ１に通知する旨の表示を携帯電話２の画面上に表示し、顧客の同意を得る（図示省略）。
【００３１】
これ以降の手順は上記実施の形態１と略同様であるが、個体識別番号取得部１６が顧客により選択された景品と取得した当該顧客の携帯電話の個体識別番号とを紐づけて記憶する点、上記引換券５３の画面に代え、図１１に示すような確認画面６０が表示される点が異なる。即ち、個体識別番号取得部１６は、顧客が景品ウェブサイトにアクセスした際に、顧客の携帯電話の個体識別番号を取得して記憶する。確認画面送信部１７は、顧客の携帯端末２に対し、図１１に示すような確認画面６０を送信する。
【００３２】
顧客が引換期間中に上記選択した店舗に来店した場合、図１２に示すように、店舗に用意した受取用告知媒体５のＱＲコード５１をカメラで撮影して、受取用ＵＲＬを取得する。このＵＲＬにアクセスする際、再び個体識別番号を景品流通サーバ１に送信する。景品流通サーバ１の受取確認部１４は、個体識別番号と前記記憶した個体識別番号を比較し合致している場合、当該個体識別番号に紐づけられた景品の景品情報を顧客の携帯電話２に送信する。
【００３３】
当該景品情報は、図１３に示すように、受取用画面６１として顧客の携帯電話２の表示部に表示される。店舗従業員は、この受取用画面６１を参照し、景品を顧客に引き渡す。また、この受取用画面６１には受取ボタン６２が表示されており、顧客又は店舗従業員が当該受取ボタン６２を押すことで携帯電話２から受取確認情報が景品流通サーバ１に送信され、受取確認部１４は、当該景品が顧客に引き渡されたことを確認し、引渡し処理をする。
【００３４】
以上、この景品流通システム２００によれば、実施の形態１と同様の効果が得られると共に、携帯電話の個体識別番号を顧客ＩＤとして用いるので、より簡単に景品の引渡しができるようになる。また、個体識別番号から顧客の個人情報を特定することは困難であるから、顧客側も本システムを安心して利用できる。
【００３５】
なお、上記ＱＲコード以外の２次元コードを用いてもよいし、１次元コードであるバーコードを用いても良い。また、上記配送サーバは景品流通サーバに含めても良い。
【００３６】
（実施の形態３）
図１４は、この考案の実施の形態３に係る景品流通システムを示す構成図である。図１５は、図１４に示した景品流通システムの基本動作を示すフロー図である。図１６は、ＩＣタグを告知媒体に設けた例を示す説明図である。図１７乃至図１９は、景品流通システムの携帯端末の画面例を示す説明図である。
【００３７】
前記景品流通サーバ１は、顧客に景品の選択を行わせる景品選択部１１と、顧客が来店を希望する店舗を選択する店舗選択部１２と、顧客の携帯電話２の個体識別番号を取得する個体識別番号取得部１６と、顧客の携帯電話２に確認画面を送信する確認画面送信部１７と、顧客が選択した店舗において景品を受け取ったことを確認する受取確認部１４と、顧客が選択した景品を顧客が選択した店舗に配送する指示を行う配送指示部１５とを有する。また、携帯端末２には、表示部と、ＩＣリーダとが備えられている。
【００３８】
告知媒体３は、例えば自立のための足を有するフォトフレーム形状の告知板３と、この告知板３一部に設けたＩＣタグ３１とから構成される。告知板３には、顧客自身により景品が選べ、且つ、全ての顧客にプレゼントされる旨の記載がなされており、その下に、複数の景品の例が写真と共に表示されている。ＩＣタグ３１には、本サービス専用のウェブサイトにアクセスするためのＵＲＬが記憶されている。
【００３９】
顧客がＩＣリーダ２１を搭載している携帯端末２を告知板３にかざすと、ＩＣタグ３１の情報が無線で携帯端末２に送られて画面上にＵＲＬが表示される（ステップ１）。顧客は、携帯端末２から当該ＵＲＬに係るウェブサイトにアクセスする。このとき形態電話２の個体識別番号が通知され、個体識別番号取得部１６に記憶される（ステップ２）。
【００４０】
景品選択部１１は、多数の景品情報を顧客の携帯端末２に送信する（ステップ３）。この景品情報に基づく景品画面は、図１７に示すように、顧客の携帯端末２の所定のブラウザで表示される。具体的には、選択可能な多数の景品がブラウザ上に表示されるので、顧客はこの画面をスクロールしながら、自分の好きな景品を探す。なお、景品数が多数に及ぶときにはカテゴリ別に検索できるようにしても良い。
【００４１】
顧客は、画面上で所定の景品を選択すると、携帯端末２から選択された景品情報が景品流通サーバに送信される（ステップ４）。配送依頼部１５は、配送サーバ４に選択された景品の在庫の確認の要求をする（ステップ５）。景品の在庫がない場合、配送サーバ４はその旨の回答を配送依頼部１５に戻す。在庫がある場合、個体識別番号取得部１６は顧客により選択された景品と取得した当該顧客の携帯電話２の個体識別番号とを紐づけて記憶する。
【００４２】
次に、店舗選択部１２は、顧客の携帯端末２に選択可能な店舗情報等を送信する（ステップ６）。顧客の携帯端末２では、受信した店舗情報等を表示する。この店舗選択画面は、図１８に示すように、顧客が希望する店舗を指定する地域をブロック化した図形が表示される。顧客は、前記地域の指定を進めることで、最終的に指定した地域に存在する店舗のリストを表示する。顧客は、表示された店舗から景品を受け取りたい店舗を選択し、ＯＫボタンを押す（ステップ７）。
【００４３】
これにより、携帯端末２から店舗選択部１２に受取店舗の情報が送信される。店舗選択部１２は、当該受取店舗の情報および前記景品情報を記憶すると共に前記配送センターの配送サーバに送信する（ステップ８）。配送サーバ４は、発送日時と選択された店舗への到達予定日時を生成し、この配送予定情報を景品流通サーバ１に送信する（ステップ９）。配送センターでは、前記生成した配送情報に基づいて選択された景品を選択された店舗に配送する。
【００４４】
確認画面送信部１７は、顧客の携帯端末２に対して図１９に示すような確認画面６５を送信する（ステップ１０）。確認画面６５には、景品の写真及び前記品番と共に、前記顧客が選択した店舗、引換期間が表示される。
【００４５】
次に、顧客が引換期間中に上記選択した店舗に来店した場合、受取用倍体５のＩＣタグ５を携帯端末２のＩＣリーダ２１で読み、受取用ＵＲＬを取得する。このＵＲＬにアクセスする際、再び携帯電話２の個体識別番号を景品流通サーバ１に送信する（ステップ１２）。受取確認部１４は、個体識別番号と前記記憶した個体識別番号を比較し合致している場合、当該個体識別番号に紐づけられた景品の情報を顧客の携帯電話に送信する（ステップ１３）。
【００４６】
当該景品の情報は、図１９に示すように、受取用画面６５として顧客の携帯端末の表示部に表示される。店舗従業員は、この受取用画面６５を参照し、景品を顧客に引き渡す。また、この受取用画面６５には受取ボタン６６が表示されており、顧客又は店舗従業員が当該受取ボタン６６を押すことで携帯端末２から受取確認情報が景品流通サーバ１に送信され、受取確認部１４は、当該景品が顧客に引き渡されたことを確認し、引渡し処理をする。
【００４７】
以上の景品流通システム３００によっても各店舗が在庫を抱えることなく多種類の景品を顧客に引き渡すことができ、顧客の再来店の可能性を高めることができる。
【００４８】
（実施の形態４）
上記実施の形態２では、ＱＲコードにより直接ウェブサイトのＵＲＬを表示するようにしたが、この実施の形態４では、ＱＲコードにより空メール（本文の記載がない電子メール）を生成し、この空メールを景品流通サーバ１に送信することで、所定のウェブサイトのＵＲＬを顧客の携帯端末２に送信するようにしても良い。
【００４９】
図２０は、この考案の実施の形態４に係る景品流通システムを示す構成図である。図２１は、図２０に示した景品流通システムの基本動作を示すフロー図である。この景品流通システム４００は、実施の形態２と略同様の構成であるが、景品流通サーバ１にメール送受信部１８を有する点が異なる。
【００５０】
顧客が携帯端末２のカメラによりＱＲコードを撮影することで、携帯端末２において空メールが自動的に生成される（ステップ１−１）。顧客は、携帯端末２から当該空メールを景品流通サーバ１に送信する（ステップ１−２）。景品流通サーバ１のメール送受信部１８は、空メールの送信者である顧客のメールアドレスにＵＲＬを記載した電子メールを返信する（ステップ１−３）。顧客は、景品流通サーバ１からの電子メールを受信し、その電子メールに含まれるＵＲＬをクリックして、景品ウェブサイトにアクセスする（ステップ２）。これ以降は、実施の形態２と同じ手順となるので説明を省略する。なお、メール送受信部１８は、確認画面送信部１７が確認画面を顧客の携帯端末２に送信した後、顧客のメールアドレスに確認画面６１と略同様の内容の電子メールを送信する。
【００５１】
図２２は、実施の形態４の変形例を示すフロー図である。上記では顧客からの空メールを受信することで顧客のメールアドレスを取得するようにしていたが、既に顧客の携帯端末のメールアドレスを顧客情報として持っている場合は、景品流通サーバ１から顧客の形態端末２に対して任意の時期に景品ウェブサイトのURLを送信するようにしても良い（ステップ１−３）。その後の手順は上記同様であるので説明を省略する。
【００５２】
なお、上記実施の形態１〜５では、選択した店舗に対して全ての景品を配送可能としているが、特定の景品については特定の店舗しか選択できないようにしても良い。具体的には、店舗選択部１２は、予め特定の景品については選択できる店舗を限定して記憶しておき、顧客が当該特定の景品を選択した場合には、この景品に紐づいた店舗のみを候補として顧客の携帯端末に送信するようにする。このようにすれば、特定の景品を選択した顧客の嗜好に合う店舗や関連する商品を置いている店舗等に顧客を誘導することができる。
【００５３】
（実施の形態５）
図２３は、この考案の実施の形態５に係る景品流通システムを示す構成図である。図２４は、図２３に示した景品流通システムの基本動作を示すフロー図である。この景品流通システム５００は、実施の形態１に係る景品流通システム１００と略同じ構成であるが、顧客が最初に景品流通サーバ１にアクセスした際、抽選部８０により景品がもらえるか否かの抽選が行われる点が異なる。その他の構成は実施の形態１と同じであるからその説明を省略する。
【００５４】
顧客は、図２５に示すように、街頭で配るカード８１等の告知手段に印刷された特定の景品に紐づいたＱＲコードを携帯端末で読み取り（ステップ８１）、抽選用のウェブサイトにアクセスする（ステップ８２）。又は、チラシに記載したＵＲＬを携帯端末に直接入力して抽選用のウェブサイトにアクセスする（ステップ８２）。抽選部８０は、抽選結果として「当り」とする場合、「景品Ａが当たりました！」との表示７０と共に、景品Ａを受け取る店舗を選択するための選択画面５０を顧客の携帯端末２に表示させる。この選択画面５０には、顧客が希望する店舗を指定するプルダウンメニュー５１が表示される。一方、抽選で「外れ」となった場合、外れ画面７３に「残念ながらハズレです！」等の表示７１が表示される。この後の手順は実施の形態１と同様である。
【００５５】
また、引換券発行部１３は、図２６（ａ）に示すような引換券を発行する。顧客は、図２６（ｂ）に示すように、この引換券７２を印刷して店舗に持参しても良い。
【００５６】
また、抽選部８０は、ステップ５において受取店舗を選択した後、抽選結果を顧客に送信するようにしても良い。顧客は店舗を選択し直すことにより、「あたり」になる可能性を持たせる。具体的には、もう一度店舗を選択する旨の表示を携帯端末に送信し、顧客が別の店舗を選択することでもう一度抽選を行う機会を与える。そして、特定の店舗を選択した場合に「あたり」とする。その後の手順は上記同様である。このようにすれば、特定の景品を好む顧客をその嗜好に合う店舗に誘導することができる。
【００５７】
また、実施の形態２の景品流通システム２００においても、景品ウェブサイトにアクセスした後（図１０参照）、上記同様に抽選部８０により抽選を行うようにしても良い。また、受取店舗の選択後、上記同様に抽選部８０により抽選を行うようにしても良い。
【００５８】
また、実施の形態３の景品流通システム３００においても、景品ウェブサイトにアクセスした後（図１５参照）、上記同様に抽選部８０により抽選を行うようにしても良い。また、受取店舗の選択後、上記同様に抽選部８０により抽選を行うようにしても良い。
【符号の説明】
【００５９】
１００  景品流通サーバ
１  景品流通サーバ
２  携帯端末
３  告知手段
４  配送サーバ
５  受取用媒体
１１  景品選択部
１２  店舗選択部
１３  引換券発行部
１４  受取確認部
１５  配送依頼部
【図１】
0003174540.tif 000003
【図２】
0003174540.tif 000004
【図３】
0003174540.tif 000005
【図４】
0003174540.tif 000006
【図５】
0003174540.tif 000007
【図６】
0003174540.tif 000008
【図７】
0003174540.tif 000009
【図８】
0003174540.tif 000010
【図９】
0003174540.tif 000011
【図１０】
0003174540.tif 000012
【図１１】
0003174540.tif 000013
【図１２】
0003174540.tif 000014
【図１３】
0003174540.tif 000015
【図１４】
0003174540.tif 000016
【図１５】
0003174540.tif 000017
【図１６】
0003174540.tif 000018
【図１７】
0003174540.tif 000019
【図１８】
0003174540.tif 000020
【図１９】
0003174540.tif 000021
【図２０】
0003174540.tif 000022
【図２１】
0003174540.tif 000023
【図２２】
0003174540.tif 000024
【図２３】
0003174540.tif 000025
【図２５】
0003174540.tif 000026
【図２６】
0003174540.tif 000027
【図２４】
0003174540.tif 000028
【手続補正書】
【提出日】平成23年12月31日(2011.12.31)
【手続補正１】
【補正対象書類名】明細書
【補正対象項目名】００１８
【補正方法】変更
【補正の内容】
【００１８】
図４乃至図８は、景品流通システムの携帯端末の画面例を示す説明図である。図４では、告知媒体３の例として、店舗におけるチラシとコンピュータの画面を挙げた。当該チラシには、顧客自身により景品が選べ、且つ、全ての顧客にプレゼントされる旨の記載がなされており、その下に、複数の景品の写真と共に各景品に対応するＱＲコード３１が表示されている。
【手続補正２】
【補正対象書類名】図面
【補正対象項目名】図４
【補正方法】変更
【補正の内容】
【図４】
0003174540.tif 000029
【手続補正３】
【補正対象書類名】図面
【補正対象項目名】図５
【補正方法】変更
【補正の内容】
【図５】
0003174540.tif 000030
【手続補正４】
【補正対象書類名】図面
【補正対象項目名】図１２
【補正方法】変更
【補正の内容】
【図１２】
0003174540.tif 000031
【手続補正５】
【補正対象書類名】図面
【補正対象項目名】図１６
【補正方法】変更
【補正の内容】
【図１６】
0003174540.tif 000032
【手続補正書】
【提出日】平成24年2月22日(2012.2.22)
【手続補正１】
【補正対象書類名】図面
【補正対象項目名】図１７
【補正方法】変更
【補正の内容】
【図１７】
0003174540.tif 000033